(57)【要約】【課題】高さや種類の異なる冷蔵庫、冷凍庫や貯蔵庫等の倉庫にも対応でき、荷物の積み卸しを安全に行えるようにしたスロープを提供すること。【解決手段】倉庫２の出入口２ａに配置されるステップ部５と、ステップ部５に連結されて地面３に接地されるスロープ部６とを具備するスロープであって、ステップ部５は、アルミニウム製形材にて形成される互いに対峙する一対のステップ本体１０と、両ステップ本体１０間に支持されるアルミニウム製形材にて形成される床部材２０と、ステップ本体１０の上端部に両端が係止されて架設されるアルミニウム製形材にて形成される踏板部材３０とで構成される。ステップ本体１０の下部に、ステップ部５の高さを調整する高さ調整用ボルト４０を装着する。【選択図】    図３
2019015099.tif 000002
【特許請求の範囲】
【請求項１】
倉庫の出入口に配置されるステップ部と、上記ステップ部に連結されて地面に接地されるスロープ部とを具備するスロープであって、
上記ステップ部は、それぞれアルミニウム製形材にて形成される、互いに対峙する一対のステップ本体と、上記両ステップ本体間に支持される床部材と、上記ステップ本体の上端部に両端が係止されて架設される踏板部材とで構成され、
上記ステップ本体の下部に、高さ調整用ボルトが装着されている、
ことを特徴とするスロープ。
【請求項２】
請求項１に記載のスロープにおいて、
上記ステップ本体は、該ステップ本体の上部側の一方の側面から水平方向に延在する上部支持片と下部支持片とで上記床部材を挟持する支持部が形成され、
上記ステップ本体の上端部の他方の側面側に直交状に起立する係止壁と上端面とで上記踏板部材の側壁を係止する取付部が形成されている、ことを特徴とするスロープ。
【請求項３】
請求項１又は２に記載のスロープにおいて、
上記ステップ本体は、上下の対向する位置にビスポケットが長手通しに設けられ、上記床部材及び踏板部材は、それぞれ左右の対向する位置にビスポケットが長手通しに設けられ、
上記ステップ本体、床部材及び踏板部材の長手方向の端部を塞ぐ塞ぎ板に、上記ビスポケットに対応する貫通孔を設け、上記貫通孔を貫通する固定ねじを上記ビスポケットに螺合して、上記ステップ本体、床部材及び踏板部材と上記塞ぎ板とを固定してなる、ことを特徴とするスロープ。
【請求項４】
請求項１ないし３のいずれかに記載のスロープにおいて、
上記ステップ本体の下部に、下方に向かって狭隘開口状の凹部が長手通しに設けられ、上記凹部内に挿入されるナットに上記高さ調整用ボルトが螺合されている、ことを特徴とするスロープ。
【請求項５】
請求項１ないし４のいずれかに記載のスロープにおいて、
上記ステップ本体と床部材と踏板部材との間に空間部が形成され、上記空間部内に凍結防止用のヒータが挿入可能に形成されている、ことを特徴とするスロープ。
【請求項６】
請求項１ないし５のいずれかに記載のスロープにおいて、
上記踏板部材の上部に、倉庫の出入口を開閉するスライド扉の外側面に回動自在に接触するガイドローラを垂設すると共に、上記スライド扉が閉じた際に当接するストッパを垂設してなる、ことを特徴とするスロープ。
【請求項７】
請求項１に記載のスロープにおいて、
上記スロープ部は、それぞれアルミニウム製形材であって、互いに連結可能なスロープ床材と、１又は複数のスロープ中間部材と、スロープ先端接続部材及びスロープ先端部材とで構成され、
上記スロープ床材の側部に円弧状凸条が長手通しに突設され、上記円弧状凸条が、上記ステップ本体の上端部の側面側に直交状に起立する係止壁に長手通しに形成された狭隘開口状の円弧状溝に回動自在に嵌合されている、ことを特徴とするスロープ。
【請求項８】
請求項７に記載のスロープにおいて、
地面に接地される上記スロープ先端部材は、水平下片に対して傾斜上片を有する三角状に形成され、該スロープ先端部材の側壁に外方が開口する断面略Ｃ字状の円弧状凹部が長手通しに形成され、上記円弧状凹部に、上記スロープ先端接続部材の側壁に長手通しに形成された円弧状凸条が回動可能に嵌合されている、ことを特徴とするスロープ。
【発明の詳細な説明】
【技術分野】
【０００１】
この発明は、例えば、プレハブ式の冷蔵庫、冷凍庫や貯蔵庫等の倉庫の出入口に設置されるスロープに関するものである。
【背景技術】
【０００２】
一般に、例えば、プレハブ式の冷蔵庫、冷凍庫や貯蔵庫等の倉庫はコンクリート製の土台等を介して地面に設置されるため、倉庫の床面と地面との間に段差が生じる。そのため、倉庫の出入口において荷物の積み卸しのためにスロープが使用されている。
【０００３】
従来のこの種のスロープとして、倉庫の床側縁部の上に前端部が載置されて傾斜状態に配置される踏板構成第１パネル（以下に、第１パネルという）の後端部に回動可能に連結される踏板構成第２パネルを具備するものが知られている（例えば、特許文献１参照）。
【０００４】
特許文献１記載のものは、倉庫の床側縁部に設けた凹陥部に上記第１パネルの前部に設けられた高さの異なる２つの脚部を選択的に嵌め入れることで、傾斜角度が変えられるようになっており、床側縁部の高さが高い場合は、上記第１パネルの後端部に設けられた高さ調節可能な支持機構によって第１パネルの傾斜を変化させている。
【先行技術文献】
【特許文献】
【０００５】
【特許文献１】特開平７−２８６４１９号公報（図１，図３）
【発明の概要】
【発明が解決しようとする課題】
【０００６】
しかしながら、特許文献１に記載のものにおいては、倉庫の床側縁部に設けた凹陥部に上記第１パネルの前部に設けられた高さの異なる２つの脚部を選択的に嵌め入れる構造であるため、床側縁部に凹陥部が設けられていない倉庫には使用できず、高さや種類の異なる冷蔵庫、冷凍庫や貯蔵庫等の倉庫には十分に対応できない懸念がある。
【０００７】
また、特許文献１に記載の構造においては、倉庫の床側縁部に設けた凹陥部に上記第１パネルの前部に設けられた脚部を嵌め入れて傾斜角度を変える構造であるため、倉庫の床面とスロープとの間に段差が生じると共に、倉庫の出口側が倉庫の床面と平行にならず倉庫の床面に対して傾斜する。そのため、荷物の積み卸しに支障を来す懸念がある。
【０００８】
この発明は、上記事情に鑑みてなされたもので、高さや種類の異なる冷蔵庫、冷凍庫や貯蔵庫等の倉庫にも対応でき、荷物の積み卸しを安全に行えるようにしたスロープを提供することを課題とする。
【課題を解決するための手段】
【０００９】
上記課題を解決するために、この発明は、倉庫の出入口に配置されるステップ部と、上記ステップ部に連結されて地面に接地されるスロープ部とを具備するスロープであって、上記ステップ部は、それぞれアルミニウム製形材にて形成される、互いに対峙する一対のステップ本体と、上記両ステップ本体間に支持される床部材と、上記ステップ本体の上端部に両端が係止されて架設される踏板部材とで構成され、上記ステップ本体の下部に、高さ調整用ボルトが装着されている、ことを特徴とする（請求項１）。
【００１０】
このように構成することにより、ステップ本体間に支持される床部材と、ステップ本体の上端部に両端が係止されて架設される踏板部材を変えることで、ステップ部の幅を変更することができる。また、高さ調整用ボルトを調整することで、ステップ部を倉庫の床面の高さに合わせて平行にすることができる。
【００１１】
この発明において、上記ステップ本体は、該ステップ本体の上部側の一方の側面から水平方向に延在する上部支持片と下部支持片とで上記床部材を挟持する支持部が形成され、上記ステップ本体の上端部の他方の側面側に直交状に起立する係止壁と上端面とで上記踏板部材の側壁を係止する取付部が形成されているのが好ましい（請求項２）。
【００１２】
このように構成することにより、一対のステップ本体間に床部材を水平状態に支持することができると共に、ステップ本体の上端部間に踏板部材を水平状態に取り付けることができる。
【００１３】
また、この発明において、上記ステップ本体は、上下の対向する位置にビスポケットが長手通しに設けられ、上記床部材及び踏板部材は、それぞれ左右の対向する位置にビスポケットが長手通しに設けられ、上記ステップ本体、床部材及び踏板部材の長手方向の端部を塞ぐ塞ぎ板に、上記ビスポケットに対応する貫通孔を設け、上記貫通孔を貫通する固定ねじを上記ビスポケットに螺合して、上記ステップ本体、床部材及び踏板部材と上記塞ぎ板とを固定するのが好ましい（請求項３）。
【００１４】
このように構成することにより、ステップ本体、床部材及び踏板部材の長手方向の開口端部を塞ぎ板によって塞ぐことができると共に、ステップ本体、床部材及び踏板部材と塞ぎ板とを一体化することができる。
【００１５】
また、この発明において、上記ステップ本体の下部に、下方に向かって狭隘開口状の凹部が長手通しに設けられ、上記凹部内に挿入されるナットに上記高さ調整用ボルトが螺合されているのが好ましい（請求項４）。
【００１６】
このように構成することにより、ステップ本体の下部の任意の位置に容易に高さ調整用ボルトを取り付けることができる。
【００１７】
また、この発明において、上記ステップ本体と床部材と踏板部材との間に空間部が形成され、上記空間部内に凍結防止用のヒータが挿入可能に形成されているのが好ましい（請求項５）。
【００１８】
このように構成することにより、ステップ部に凍結防止用のヒータを挿入することができ、踏板部材の表面が凍結するのを防止することができる。
【００１９】
また、この発明において、上記踏板部材の上部に、倉庫の出入口を開閉するスライド扉の外側面に回動自在に接触するガイドローラを垂設すると共に、上記スライド扉が閉じた際に当接するストッパを垂設してもよい（請求項６）。
【００２０】
このように構成することにより、倉庫の出入口にスライド扉を設けた場合に、スライド扉の開閉を円滑にすることができると共に、スライド扉の閉鎖状態を確実にすることができる。
【００２１】
加えて、この発明において、上記スロープ部は、それぞれアルミニウム製形材であって、互いに連結可能なスロープ床材と、１又は複数のスロープ中間部材と、スロープ先端接続部材及びスロープ先端部材とで構成され、上記スロープ床材の側部に円弧状凸条が長手通しに突設され、上記円弧状凸条が、上記ステップ本体の上端部の側面側に直交状に起立する係止壁に長手通しに形成された狭隘開口状の円弧状溝に回動自在に嵌合されているのが好ましい（請求項７）。
【００２２】
このように構成することにより、ステップ部とスロープ部の連結部の揺らぎや段差を防止することができる。
【００２３】
更に、この発明において、地面に接地される上記スロープ先端部材は、水平下片に対して傾斜上片を有する三角状に形成され、該スロープ先端部材の側壁に外方が開口する断面略Ｃ字状の円弧状凹部が長手通しに形成され、上記円弧状凹部に、上記スロープ先端接続部材の側壁に長手通しに形成された円弧状凸条が回動可能に嵌合されているのが好ましい（請求項８）。
【００２４】
このように構成することにより、スロープ部と地面との間に段差が生じるのを防止することができる。
【発明の効果】
【００２５】
この発明によれば、上記のように構成されているので、以下のような顕著な効果が得られる。
【００２６】
（１）請求項１〜３に記載の発明によれば、ステップ部の幅を変更することができると共に、高さ調整用ボルトを調整してステップ部を倉庫の床面と平行にすることができる。したがって、高さや種類の異なる冷蔵庫、冷凍庫や貯蔵庫等の倉庫にも対応でき、荷物の積み卸しを安全に行うことができる。
【００２７】
（２）請求項４に記載の発明によれば、ステップ本体の下部の任意の位置に容易に高さ調整用ボルトを取り付けることができるので、上記（１）に加えて、更に高さ調整用ボルトの取付を容易にすることができると共に、ステップ部の高さ調整を容易にすることができる。
【００２８】
（３）請求項５に記載の発明によれば、ステップ部に凍結防止用のヒータを挿入することで、踏板部材の表面が凍結するのを防止することができるので、上記（１），（２）に加えて、更に冷蔵庫や冷凍庫等の倉庫の出入口に設置した場合や冬期における屋外の倉庫の出入口に設置した場合に踏板部材の表面が凍結するのを防止して、荷物の積み卸し作業の安全性の確保を図ることができる。
【００２９】
（４）請求項６に記載の発明によれば、上記（１）〜（３）に加えて、更に倉庫の出入口にスライド扉を設けた場合に、スライド扉の開閉を円滑にすることができると共に、スライド扉の閉鎖状態を確実にすることができる。
【００３０】
（５）請求項７に記載の発明によれば、ステップ部とスロープ部の連結部の揺らぎや段差を防止することができるので、上記（１）に加えて、更に荷物の積み卸し作業の安全性の確保を図ることができる。
【００３１】
（６）請求項８に記載の発明によれば、スロープ部と地面との間に段差が生じるのを防止することができるので、上記（１），（５）に加えて、更に荷物の積み卸し作業の安全性の確保を図ることができる。
【図面の簡単な説明】
【００３２】
【図１】この発明に係るスロープの使用状態を示す斜視図である。
【図２】上記スロープの使用状態を示す側面図である。
【図３】上記スロープの使用状態を示す拡大断面図である。
【図４】図３のＩ−Ｉ部拡大断面図である。
【図５】図３のII−III部分拡大断面図である。
【図６】図３のIV−IV部拡大断面図である。
【図７】この発明におけるステップ部の設置状態を示す斜視図である。
【図８】この発明におけるステップ部の要部を示す斜視図である。
【図９Ａ】この発明におけるステップ本体の斜視図（ａ）及びステップ本体の拡大断面図（ｂ）である。
【図９Ｂ】この発明における床部材の斜視図（ａ）及び床部材の拡大断面図（ｂ）である。
【図９Ｃ】この発明における踏板部材の斜視図（ａ）及び踏板部材の拡大断面図（ｂ）である。
【図１０】この発明における高さ調整用ボルトの装着状態を示す斜視図である。
【図１１】上記高さ調整用ボルトの装着状態を示す分解斜視図である。
【図１２】この発明におけるヒータの取付前の状態を示す斜視図である。
【図１３】この発明におけるヒータの取付後の状態を示す斜視図である。
【図１４Ａ】この発明におけるスロープ床材の斜視図（ａ）及びスロープ床材の拡大断面図（ｂ）である。
【図１４Ｂ】この発明におけるスロープ先端接続部材の斜視図（ａ）及びスロープ先端接続部材の拡大断面図（ｂ）である。
【図１４Ｃ】この発明におけるスロープ中間部材の斜視図（ａ）及びスロープ中間部材の拡大断面図（ｂ）である。
【図１４Ｄ】この発明におけるスロープ先端部材の斜視図（ａ）及びスロープ先端部材の拡大断面図（ｂ）である。
【図１５】この発明におけるスライド扉用ガイドローラとストッパの取付状態を示す側面図である。
【図１６】この発明におけるスライド扉用ガイドローラとストッパの取付状態を示す分解斜視図である。
【発明を実施するための形態】
【００３３】
以下に、この発明を実施するための形態について、添付図面に基づいて詳細に説明する。ここでは、この発明に係るスロープを冷蔵庫や冷凍庫等の倉庫に適用した場合について説明する。
【００３４】
この発明に係るスロープ１は、倉庫２の出入口２ａに配置されるステップ部５と、ステップ部５に連結されて地面３に接地されるスロープ部６とで主に構成されている。なお、倉庫２は地面３に敷設された土台４を介して設置されている。
【００３５】
上記ステップ部５は、図４に示すように、互いに対峙する一対のステップ本体１０と、両ステップ本体１０間に支持される床部材２０と、ステップ本体１０の上端部に両端が係止されて架設される踏板部材３０とで構成されている。この場合、ステップ本体１０、床部材２０及び踏板部材３０は、それぞれアルミニウム製押出形材にて形成されている。
【００３６】
また、ステップ部５の各ステップ本体１０の下部の長手方向の両端側には、高さ調整用ボルト４０が装着されている。この高さ調整用ボルト４０の調整によってステップ部５の踏板部材３０を倉庫２の床面の高さに合わせて平行に調整することができる。
【００３７】
ステップ本体１０は、図９Ａに示すように、横長の中空矩形状の上部１１と縦長の中空矩形状の下部１２とからなる略Ｔ字状に形成されている。なお、上部１１の外側（対峙するステップ本体１０に対して外側）の下部隅角部には、断面略Ｃ字状のビスポケット７が長手通しに形成されている。また、下部１２の内側（対峙するステップ本体１０に対して内側）の下部隅角部には、断面略Ｃ字状のビスポケット７が長手通しに形成されている。
【００３８】
上部１１には、一側面（内側面）から水平方向に延在する上部支持片１３ａと下部支持片１３ｂとで床部材２０を挟持する支持部１３が形成されている。この場合、床部材２０を安定状態で支持するため、下部支持片１３ｂは上部支持片１３ａに対して長く形成されている。
【００３９】
また、上部１１の上端部の他方の側面側（外側）に直交状に起立する係止壁１４と上端面とで踏板部材３０の側壁３３を係止する取付部１５が形成されている。
なお、係止壁１４の外側面には外側に向かって狭隘開口状の円弧状溝１４ａが長手通しに形成されている。一方のステップ本体１０に設けられた係止壁１４の円弧状溝１４ａには、後述するスロープ部６を構成するスロープ床材６０Ａに突設された円弧状凸条６２が回動自在に嵌合される。また、他方のステップ本体１０の係止壁１４の円弧状溝１４ａには、丸棒状のバックアップ材１６が嵌挿されるようになっている。
【００４０】
また、下部１２の下面には、下方に向かって狭隘開口状の凹部１７が長手通しに設けられている。この凹部１７内には、凹部１７に対して摺動可能で回転が阻止される矩形板状のナット４１が挿入され、ナット４１に高さ調整用ボルト４０が螺合可能になっている。
【００４１】
床部材２０は、図９Ｂに示すように、２つの仕切り壁２１によって区画された中央中空部２２と左右中空部２３，２４を有し、左右中空部２３，２４の下部が開口した中空矩形板状に形成されている。なお、左右中空部２３，２４の対向する上部位置に断面略Ｃ字状のビスポケット７が長手通しに形成されている。
【００４２】
踏板部材３０は、図９Ｃに示すように、上面に互いに平行な滑り止め用凹凸条３１を有する天板３２の幅方向の両側に側壁３３を有し、天板３２は中央から両側壁３３に向かって漸次肉厚となるように天板３２の下面が円弧状に形成されている。なお、両側壁３３の下端には内方に直交する凸条３３ａが設けられている。また、両側壁３３の左右対向する位置には外方に開口する断面略Ｃ字状のビスポケット７が長手通しに形成されている。
【００４３】
上記のように形成される踏板部材３０は、天板３２の中央部を薄くし、両側を漸次肉厚に形成することにより、強度を持たせることができる。また、天板３２の下面を円弧状に形成することにより、後述する凍結防止用のヒータＨからの熱の受熱面積を増大することができると共に、天板３２の中央部の熱伝導を良好にすることができる。
【００４４】
上記のように形成される一対のステップ本体１０の上部支持片１３ａと下部支持片１３ｂで床部材２０を挟持した状態で支持し、取付部１５に踏板部材３０の側壁３３を係止した状態で架設してステップ部５が組み付けられる。このようにして組み付けられたステップ部５において、ステップ本体１０と床部材２０と踏板部材３０との間に空間部５ａが形成され、この空間部５ａ内に凍結防止用のヒータＨが挿入可能になっている。
【００４５】
ステップ部５の長手方向の開口端は塞ぎ板５０によって塞がれる。この場合、塞ぎ板５０は、図８に示すように、踏板部材３０と両ステップ本体１０の上部１１を覆う上部半体５１と、上部半体５１の下端に延在して両ステップ本体１０の下部１２及び凹部１７と下部１２間を覆う下部半体５２とを有する形状に形成されている。
【００４６】
また、塞ぎ板５０には、ステップ本体１０と床部材２０と踏板部材３０に設けられたビスポケット７と対応する位置に貫通孔５３が設けられており、これら貫通孔５３を貫通する固定ねじ８をビスポケット７に螺合してステップ本体１０、床部材２０及び踏板部材３０に塞ぎ板５０を固定する。これにより、ステップ本体１０、床部材２０及び踏板部材３０と塞ぎ板５０とを一体化する。
【００４７】
なお、ステップ部５に形成された空間部５ａ内に凍結防止用のヒータＨを挿入する場合は、図１２及び図１３に示すように、塞ぎ板５０にヒータＨのリード線Ｈａが挿通可能な挿通孔５４を設け、挿通孔５４にヒータＨのリード線Ｈａを挿通した状態で、ヒータＨを空間部５ａ内に挿入して、上述と同様に、貫通孔５３を貫通する固定ねじ８をビスポケット７に螺合してステップ本体１０、床部材２０及び踏板部材３０に塞ぎ板５０を固定する。
【００４８】
上記高さ調整用ボルト４０は、図１０及び図１１に示すように、下部に位置する頭部に腕形のボルト保護カバー４２が装着されている。高さ調整用ボルト４０をステップ本体１０に装着する場合は、ステップ本体１０の凹部１７の外側に摺動可能に跨設されるチャンネル状の補強部材４３に設けられた貫通孔４３ａを貫通して凹部１７内に挿入されたナット４１に螺合する。このようにして、ステップ本体１０の長手方向の両端側の適宜位置に高さ調整用ボルト４０を装着する。この際、高さ調整用ボルト４０とナット４１の螺合を調整することで、ステップ部５の踏板部材３０を倉庫２の床面に合わせて平行に調整することができる。
なお、ボルト保護カバー４２は必ずしも必要ではなく、高さ調整用ボルト４０の頭部を直接地面３に接地してもよい。
【００４９】
スロープ部６は、図３〜図６に示すように、ステップ部５の踏板部材３０に回動可能に連結するスロープ床材６０Ａと、スロープ床材６０Ａに連結されると共に、互いに連結可能な複数例えば４個のスロープ中間部材６０Ｃと、スロープ中間部材６０Ｃに連結されるスロープ先端接続部材６０Ｂと、スロープ先端接続部材６０Ｂに連結されるスロープ先端部材６０Ｄとで構成されている。これらスロープ床材６０Ａ、スロープ中間部材６０Ｃ、スロープ先端接続部材６０Ｂ及びスロープ先端部材６０Ｄは、それぞれ上面に互いに平行な滑り止め用凹凸条６１を有するアルミニウム製押出形材にて形成されている。
【００５０】
この場合、スロープ床材６０Ａは、図１４Ａに示すように、一側が傾斜する変形中空矩形状に形成されており、傾斜側壁にステップ部５の踏板部材３０の係止壁１４に設けられた円弧状溝１４ａに回動自在に嵌合される切欠き円弧状の凸条６２が突設されている。この場合、凸条６２を円弧状溝１４ａ内にスライドさせて挿入する。また、反対側の側壁の下端部には、外方に開口する円弧状の係止凹部６３が形成され、係止凹部６３の上方から外方に延在する下部係止片６４と下部係止片６４の上方に延在する上向き係止爪６５が形成され、側壁の上部側には外方に延在する上部係止受け片６６が形成されている。なお、側壁の内方側には、断面略Ｃ字状のビスポケット７が長手通しに形成されている。
【００５１】
スロープ中間部材６０Ｃは、図１４Ｃに示すように、２つの仕切り壁６０ｅによって３つの中空部を有する中空矩形状に形成されている。一方の側壁には、スロープ床材６０Ａに形成された係止凹部６３に係合可能な係止凸部６７と、上向き係止爪６５に係合可能な下向き係止爪６８と、上部係止受け片６６に係合可能な上部係止片６９が形成されている。他方の側壁には、スロープ床材６０Ａと同様に、係止凹部６３、下部係止片６４、上向き係止爪６５、上部係止受け片６６が形成されている。なお、他方の側壁の内方側と一方の側壁側の仕切り壁６０ｅには、断面略Ｃ字状のビスポケット７が長手通しに形成されている。
【００５２】
上記のように形成されるスロープ中間部材６０Ｃをスロープ床材６０Ａに連結する場合は、スロープ床材６０Ａにスロープ中間部材６０Ｃを突き当てた後、スロープ中間部材６０Ｃを下方に回動させて係止凸部６７を係止凹部６３に挿入し、そして、スロープ中間部材６０Ｃを元に戻して、上向き係止爪６５と下向き係止爪６８とを係合させると共に、上部係止受け片６６と上部係止片６９とを係合させて、スロープ床材６０Ａとスロープ中間部材６０Ｃを連結する。
なお、上記のように形成されるスロープ中間部材６０Ｃ同士を連結する場合は、スロープ床材６０Ａとスロープ中間部材６０Ｃの連結と同様にして行うことができる。
【００５３】
スロープ先端接続部材６０Ｂは、図１４Ｂに示すように、略中空矩形状に形成され一方の側壁には、スロープ中間部材６０Ｃと同様に、係止凸部６７、下向き係止爪６８、上部係止片６９が形成されている。これら係止凸部６７、下向き係止爪６８、上部係止片６９をスロープ中間部材６０Ｃの下部係止片６４、上向き係止爪６５、上部係止受け片６６に係合させてスロープ中間部材６０Ｃとスロープ先端接続部材６０Ｂとを連結する。
なお、他方の側壁には、スロープ先端部材６０Ｄの側壁に設けられた後述する円弧状凹部６０ｇに回動可能に嵌合される段付き円弧状の凸条６０ｆが突設されている。
【００５４】
スロープ先端部材６０Ｄは、図１４Ｄに示すように、水平下片に対して傾斜上片を有する中空三角状に形成されており、中空部内は仕切り壁６０ｈによって２つの中空部に区画されている。スロープ先端部材６０Ｄの側壁６０ｉには、外方が開口する断面略Ｃ字状の円弧状凹部６０ｇが長手通しに形成されている。なお、側壁６０ｉの内方側と、側壁６０ｉと対向する先端部の内方側には、断面略Ｃ字状のビスポケット７が長手通しに形成されている。
【００５５】
上記のように形成されるスロープ床材６０Ａ、複数例えば４個のスロープ中間部材６０Ｃ、スロープ先端接続部材６０Ｂ、スロープ先端部材６０Ｄを連結してスロープ部６が構成される。
【００５６】
なお、スロープ部６を構成するスロープ床材６０Ａ、スロープ中間部材６０Ｃ、スロープ先端接続部材６０Ｂの長手方向の開口端はスロープ塞ぎ板７０によって塞がれている。この場合、スロープ塞ぎ板７０に設けられた貫通孔（図示せず）を貫通する固定ねじ８をスロープ床材６０Ａとスロープ中間部材６０Ｃに形成されたビスポケット７に螺合してスロープ塞ぎ板７０を固定する。なお、スロープ塞ぎ板７０の上部にはガード用の起立壁７１が沿設されている。
【００５７】
また、スロープ先端部材６０Ｄの長手方向の開口端はスロープ先端塞ぎ板７０Ａによって塞がれている。この場合、スロープ先端塞ぎ板７０Ａはスロープ先端部材６０Ｄの断面形状と同形状の三角状に形成されており、スロープ先端塞ぎ板７０Ａに設けられた貫通孔（図示せず）を貫通する固定ねじ８をスロープ先端塞ぎ板７０Ａに設けられたビスポケット７に螺合してスロープ先端塞ぎ板７０Ａを固定する。なお、スロープ先端塞ぎ板７０Ａの下辺中央部には切欠き（図示せず）が設けられており、この切欠きを介してスロープ先端部材６０Ｄの中空部内に一端部が挿入される押え金具７２の他端部をアンカー７３によって地面３に固定することで、スロープ部６を固定することができる。
【００５８】
次に、スロープ１の施工手順について説明する。まず、予め一対のステップ本体１０の支持部１３で床部材２０を支持し、取付部１５に踏板部材３０を架設してステップ部５を組み立てる。この際、倉庫２側に位置する一方のステップ本体１０に設けられた円弧状溝１４ａに丸棒状のバックアップ材１６を嵌挿しておく。
【００５９】
次に、高さ調整用ボルト４０を調整してステップ部５の踏板部材３０を倉庫２の床面２ｂの高さに合わせて、ステップ部５を倉庫２の出入口２ａに配置する。この状態で、倉庫２側と反対側に位置するステップ本体１０の長手方向の両端部に取り付けたブラケット８０を介して地面３に固定する。この場合、ブラケット８０は水平片８１と垂直片８２を有するアングル状に形成されており、垂直片８２が固定ねじ８３によってステップ本体１０に固定され、水平片８１に設けられた貫通孔８４を貫通するアンカー８５を地面３に固定する（図７参照）。
【００６０】
ステップ部５を固定した後、ステップ本体１０の係止壁１４に設けられた円弧状溝１４ａにスロープ床材６０Ａの円弧状凸条６２をスライドしてスロープ床材６０Ａを取り付ける。次いで、スロープ床材６０Ａに形成された係止凹部６３、下部係止片６４、上向き係止爪６５、上部係止受け片６６に、スロープ中間部材６０Ｃに形成された係止凸部６７、下向き係止爪６８、上部係止片６９を係合させて、スロープ床材６０Ａにスロープ中間部材６０Ｃを連結する。以下同様にして、その他のスロープ中間部材６０Ｃ同士を連結し、先端側のスロープ中間部材６０Ｃにスロープ先端接続部材６０Ｂを連結する。そして、スロープ先端接続部材６０Ｂに形成された円弧状の凸条６０ｆにスロープ先端部材６０Ｄに形成された円弧状凹部６０ｇを嵌挿して、スロープ先端接続部材６０Ｂにスロープ先端部材６０Ｄを連結する。
【００６１】
なお、上記説明では、スロープ部６を構成するスロープ床材６０Ａ、スロープ中間部材６０Ｃ、スロープ先端接続部材６０Ｂ及びスロープ先端部材６０Ｄを順次連結する場合について説明したが、スロープ床材６０Ａ、スロープ中間部材６０Ｃ、スロープ先端接続部材６０Ｂ及びスロープ先端部材６０Ｄを予め連結してスロープ部６を構成した状態で、ステップ部５に連結してもよい。
【００６２】
上記のようにして設置されたステップ部５の長手方向の開口端は塞ぎ板５０によって塞がれ、スロープ部６の長手方向の開口端はスロープ塞ぎ板７０、スロープ先端塞ぎ板７０Ａによって塞がれる。また、スロープ部６は押え金具７２を介してアンカー７３によって固定される。
【００６３】
なお、ステップ部５に形成された空間部５ａ内に凍結防止用のヒータＨを挿入する場合は、上述したように、塞ぎ板５０に設けられた挿通孔５４にヒータＨのリード線Ｈａを挿通した状態で、ヒータＨを空間部５ａ内に挿入して、固定ねじ８をビスポケット７に螺合してステップ本体１０、床部材２０及び踏板部材３０に塞ぎ板５０を固定する。
【００６４】
次に、スロープの第２実施形態について説明する。第２実施形態は倉庫２の出入口２ａを開閉するスライド扉が設けられた場合に対応できるようにした場合である。
【００６５】
第２実施形態では、図１５及び図１６に示すように、踏板部材３０の上部に、倉庫２の出入口２ａを開閉するスライド扉（図示せず）の外側面に回動自在に接触するガイドローラ９０を垂設すると共に、スライド扉が閉じた際に当接するストッパ９１を垂設している。
【００６６】
ガイドローラ９０は、踏板部材３０の長手方向の両端部側の２箇所に設けられており、ストッパ９１は一方のガイドローラ９０と隣接する位置に設けられている。
この場合、ガイドローラ９０は、取付座９２に設けられた軸受け部９２ａに回動自在に支承されており、取付座９２に設けられた長孔９２ｂを貫通する固定ねじ９４を踏板部材３０に固定された固定座９３に螺合することで、踏板部材３０の上面に垂設される。
ストッパ９１は、アングル状の取付金具９５の垂直片９５ａに固着される合成ゴム製のストッパ片９６を具備している。このストッパ９１は、取付金具９５の水平片９５ｂに設けられた貫通孔９５ｃと一方のガイドローラ９０の取付座９２から延在する補助取付座９２ｃに設けられた貫通孔９２ｄを貫通する固定ねじ９４を踏板部材３０に固定された固定座９３から延在する補助固定座９３ａに螺合することで、踏板部材３０の上面に垂設される。
【００６７】
なお、第２実施形態において、その他の部分は上記実施形態と同じであるので、同一部分には同一符号を付して説明は省略する。
【００６８】
上記実施形態のスロープ１によれば、ステップ本体１０間に支持される床部材２０と、ステップ本体１０の上端部に両端が係止されて架設される踏板部材３０を変えることで、ステップ部５の幅を変更することができるので、出入口や大きさの異なる種類の倉庫２に対応してステップ部５を設置することができる。
また、高さ調整用ボルト４０を調整することで、ステップ部５を倉庫２の床面２ｂの高さに合わせて平行にすることができるので、高さや種類の異なる冷蔵庫、冷凍庫や貯蔵庫等の倉庫２にも対応でき、荷物の積み卸しを安全に行うことができる。
【００６９】
また、ステップ本体１０の下部に、下方に向かって狭隘開口状の凹部１７が長手通しに設け、凹部１７内に挿入されるナット４１に高さ調整用ボルト４０を螺合して高さ調整用ボルト４０を装着するので、ステップ本体１０の下部の任意の位置に容易に高さ調整用ボルト４０を取り付けることができる。
【００７０】
また、ステップ本体１０と床部材２０と踏板部材３０との間に形成された空間部５ａ内に凍結防止用のヒータＨを挿入することにより、踏板部材３０の表面が凍結するのを防止することができる。この場合、踏板部材３０は、天板３２の中央部を薄くし、両側を漸次肉厚に形成され、天板３２の下面を円弧状に形成されているので、凍結防止用のヒータＨからの熱の受熱面積を増大することができると共に、天板３２の中央部の熱伝導を良好にすることができる。
【００７１】
また、ステップ部５を構成するステップ本体１０の係止壁１４に設けられた円弧状溝１４ａに、スロープ部６を構成するスロープ床材６０Ａに突設された円弧状凸条６２を回動自在に嵌合することにより、ステップ部５とスロープ部６の連結部の揺らぎや段差を防止することができる。これにより、荷物の積み卸し作業の安全性の確保を図ることができる。
【００７２】
また、スロープ部６を構成する地面に接地されるスロープ先端部材６０Ｄを三角形状に形成し、スロープ先端部材６０Ｄの側壁６０ｉに設けられた円弧状凹部６０ｇに、スロープ先端接続部材６０Ｂの側壁に突設された円弧状凸条６０ｆを回動可能に嵌合することにより、ステップ部６と地面３との間に生じる段差を防止することができる。これにより、荷物の積み卸し作業の安全性の確保を図ることができる。
【００７３】
更に、踏板部材３０の上部に、倉庫２の出入口２ａを開閉するスライド扉の外側面に回動自在に接触するガイドローラ９０を垂設すると共に、スライド扉が閉じた際に当接するストッパ９１を垂設することにより、倉庫２の出入口２ａにスライド扉を設けた場合に、スライド扉の開閉を円滑にすることができると共に、スライド扉の閉鎖状態を確実にすることができる。
【符号の説明】
【００７４】
１  スロープ
２  倉庫
２ａ  出入口
２ｂ  床面
３  地面
５  ステップ部
５ａ  空間部
６  スロープ部
７  ビスポケット
８  固定ねじ
１０  ステップ本体
１１  上部
１２  下部
１３  支持部
１３ａ  上部支持片
１３ｂ  下部支持片
１４  係止壁
１４ａ  円弧状溝
１５  取付部
１７  狭隘開口状凹部
２０  床部材
３０  踏板部材
３３  側壁
４０  高さ調整用ボルト
４１  ナット
５０  塞ぎ板
６０Ａ  スロープ床材
６０Ｂ  スロープ先端接続部材
６０Ｃ  スロープ中間部材
６０Ｄ  スロープ先端部材
６０ｆ  円弧状凸条
６０ｉ  側壁
６０ｇ  円弧状凹部
６２  円弧状凸条
９０  ガイドローラ
９１  ストッパ
Ｈ  凍結防止用ヒータ
【図１】
2019015099.tif 000003
【図２】
2019015099.tif 000004
【図３】
2019015099.tif 000005
【図４】
2019015099.tif 000006
【図５】
2019015099.tif 000007
【図６】
2019015099.tif 000008
【図７】
2019015099.tif 000009
【図８】
2019015099.tif 000010
【図９Ａ】
2019015099.tif 000011
【図９Ｂ】
2019015099.tif 000012
【図９Ｃ】
2019015099.tif 000013
【図１０】
2019015099.tif 000014
【図１１】
2019015099.tif 000015
【図１２】
2019015099.tif 000016
【図１３】
2019015099.tif 000017
【図１４Ａ】
2019015099.tif 000018
【図１４Ｂ】
2019015099.tif 000019
【図１４Ｃ】
2019015099.tif 000020
【図１４Ｄ】
2019015099.tif 000021
【図１５】
2019015099.tif 000022
【図１６】
2019015099.tif 000023